Podtech/llm-jp-corpus-v4-ja_patent huggingface dataset:
(57)【要約】      （修正有）【課題】構造が簡単で、合理的、使用には便利で、安全性安定性を持ち、ＬＥＤランプの体積を減らすだけではなく、ＬＥＤランプの生産や応用に便利であるＬＥＤランプを提供する。【解決手段】ＬＥＤランプであって、ＬＥＤ取り付けプレート１、取り付けプレートに設置された金属板２、金属板に設置された電源回路プレート３、電源回路プレートに設置された第一ケース４、第一ケースに設置されたヒートシンク５、ヒートシンクに設置された第二ケース６を含む。これによって第一ケースと通して、電源回路プレートを固定でき、電源回路プレートの脱落を防げ、さらに、第二ケースと通して、金属蓋を取り付けることができる。【選択図】図１
0003191419.tif 000002
【実用新案登録請求の範囲】
【請求項１】
LEDランプであり、その特徴は：LED取り付けプレート、LED取り付けプレートに設置された金属板、金属板に設置された電源回路プレート、電源回路プレートに設置された第一ケース、第一ケースに設置されたヒートシンク、ヒートシンクに設置された第二ケースを含むことを特徴とするLEDランプ。
【請求項２】
請求項１に記載のLEDランプにおいて、その特徴は：前述した第一ケースと第二ケースは樹脂材料で造られることを特徴とするLEDランプ。
【請求項３】
請求項１に記載のLEDランプにおいて、その特徴は：前述した第二ケースの上に金属蓋が設置されることを特徴とするLEDランプ。
【考案の詳細な説明】
【技術分野】
【０００１】
本実用新案はLED分野に属し、LEDランプに関わる。
【背景技術】
【０００２】
LEDは固体半導体部品であり、電子ホールが互いを作用することによって、光の形でエネルギーを放出するものである。LEDは体積が小さく、高速応答、焦点機能が良く、使用寿命が長く、低電力消費、耐震等の特徴を持つ。LED の発光はルミネセンスである。また、マーキュリーがなく、汚染もしなく、部品はリサイクル可能などの長所を持ち、世界各地に省エネを提唱する情勢において、LEDは徐々に白熱電球を代替して、最も人気のある発光部品となる。しかし、LEDに入力した電力の僅か10〜20%が光に転換され、80~90%が熱に転換されてしまった。その熱によって、LED光度の衰退に繋がり、更にLEDの使用寿命を減らす。従って、市場に出回っているLEDランプに冷却装置が設置され、冷却装置で前述した熱を発散して、光度の衰退の発生率を抑え、使用寿命を維持する。また、LEDの入力電源は直流電源であり、通常に使われる交流電源ではないため、市場に出回っているLEDランプに交流 - 直流電力変換装置が必要で、その交流 - 直流電力変換装置で通常の交流電源を直流電源に変換させ、LEDランプに電力を提供する。しかし、市場に出回っているLEDランプのLEDと交流 - 直流電力変換装置がそれぞれ冷却装置の両側に設置されるため、LEDランプの体積が大き過ぎで、構造もコンパクトではなく、LEDランプの生産と応用に対して有利ではない。
【考案の概要】
【考案が解決しようとする課題】
【０００３】
上述した課題を解決する為、本実用新案はLEDランプを提出した。
【課題を解決するための手段】
【０００４】
本実用新案のある種のLEDランプでは、LED取り付けプレート、LED取り付けプレートに設置された金属板、金属板に設置された電源回路プレート、電源回路プレートに設置された第一ケース、第一ケースに設置されたヒートシンク、ヒートシンクに設置された第二ケースを含む。
【０００５】
更に、前述した第一ケースと第二ケースは樹脂材料で造られる。
【０００６】
更に、前述した第二ケースの上に金属蓋が設置される。
【考案の効果】
【０００７】
本実用新案は既存技術と比べ、以下の有益な効果を持つ：本実用新案は第一ケースと通して、電源回路プレートを固定でき、電源回路プレートの脱落を防げる。第二ケースと通して、金属蓋を取り付けできる。本装置の構造が簡単で、合理的、使用には便利で、安全性安定性を持つ。LEDランプの体積を減らすだけではなく、LEDランプの生産や応用に便利である。
【図面の簡単な説明】
【０００８】
【図１】本実用新案の構造図である。
【考案を実施するための形態】
【０００９】
図１に示したある種のLEDランプに従って、LED取り付けプレート１、LED取り付けプレート１に設置された金属板２、金属板２に設置された電源回路プレート３、電源回路プレート３に設置された第一ケース４、第一ケース４に設置されたヒートシンク５、ヒートシンク５に設置された第二ケース６を含む。
【００１０】
そのうち、前述した第一ケース４と第二ケース６は樹脂材料で造られる。前述した第二ケース６の上に金属蓋が設置される。
【００１１】
本実用新案のLEDランプは第一ケースと通して、電源回路プレートを固定でき、電源回路プレートの脱落を防げる。第二ケースと通して、金属蓋を取り付けできる。本装置の構造が簡単で、合理的、使用には便利で、安全性安定性を持つ。LEDランプの体積を減らすだけではなく、LEDランプの生産や応用に便利である。
【００１２】
以上の実施例は本実用新案の最適な実施方式を示しただけで、本実用新案のアイデアや保護範囲をそれまでに制限されるではない。本実用新案のデザインアイデアを抜け出さない前提で、本分野の普通の技術者は本実用新案に対して出した何れの変化と改造は、全て本実用新案の保護範囲に含まれる。本実用新案の要求された保護内容は全て権利要求書に記述されている。
【符号の説明】
【００１３】
１、取り付けプレート。２、金属板。３、電源回路プレート。４、第一ケース。５、ヒートシンク。６、第二ケース。
【図１】
0003191419.tif 000003
(57)【要約】      （修正有）【課題】構造が簡単で、設計が合理的で、冷却効果が良く、適用範囲の広い街路照明用ＬＥＤランプを提供する。【解決手段】街路照明用ＬＥＤランプは、フレーム７、フレーム７最上部に設置されたトランジションボード２を含み、トランジションボード２の上に雨よけカバー１１が設置され、雨よけカバー１１の内部に溝１０があり、雨よけカバー１１の後ろ側に放水路８と繋ぎ、トランジションボード２の下に電源６が設置され、電源６の後部はフレーム７の下面側と連結され、電源６の正面にランプシェード４が設置され、ランプシェード４の上部はトランジションボード２の底と連結され、電源６の正面にＬＥＤライト３が設置され、更にＬＥＤライト３がランプシェード４の内部に設置され、トランジションボード２の両端に通気口９が設置される。【選択図】図１
0003191422.tif 000002
【実用新案登録請求の範囲】
【請求項１】
街路照明用LEDランプであり、その特徴は：フレーム、フレーム最上部に設置されたトランジションボードを含み、トランジションボードの上に雨よけカバーが設置され、雨よけカバーの内部に溝があり、雨よけカバーの後ろ側に放水路と繋ぎ、トランジションボードの下に電源が設置され、電源の後部はフレームの下面側と連結され、電源の正面にランプシェードが設置され、ランプシェードの上部はトランジションボードの底と連結され、電源の正面にLEDライトが設置され、更にLEDライトがランプシェードの内部に設置され、トランジションボードの両端に通気口が設置されることを特徴とする街路照明用LEDランプ。
【請求項２】
請求項１に記載の街路照明用LEDランプにおいて、その特徴は：前述したランプシェードの下部に排水穴があることを特徴とする街路照明用LEDランプ。
【考案の詳細な説明】
【技術分野】
【０００１】
本実用新案はある種の街路照明用LEDランプに関わる。
【背景技術】
【０００２】
既存技術による照明用LEDランプは密封式の連結方法を採用していて、湿度の高い天候にて、ランプの内部に霧ができてしまう。長期間に渡ると水溜まりができて、照明効果に悪影響を及ぼす。また、密封状態で、冷却効果が悪く、LEDランプの使用寿命を減らす。
【考案の概要】
【考案が解決しようとする課題】
【０００３】
本実用新案の解決したい技術課題とはある種の構造が簡単で、設計が合理的で、冷却効果が良く、適用範囲の広い街路照明用LEDランプを提供することである。
【課題を解決するための手段】
【０００４】
上述した課題を解決する為、本実用新案は以下の技術案を採用する：フレーム、フレーム最上部に設置されたトランジションボードを含み、トランジションボードの上に雨よけカバーが設置され、雨よけカバーの内部に溝があり、雨よけカバーの後ろ側に放水路と繋ぎ、トランジションボードの下に電源が設置され、電源の後部はフレームの下面側と連結され、電源の正面にランプシェードが設置され、ランプシェードの上部はトランジションボードの底と連結され、電源の正面にLEDライトが設置され、更にLEDライトがランプシェードの内部に設置され、トランジションボードの両端に通気口が設置される。
【０００５】
最適な技術案として、ランプシェードの下部に排水穴がある。
【考案の効果】
【０００６】
本実用新案の有益な効果は：本実用新案はトランジションボードの上にある雨よけカバーで防水でき、更に、雨水は雨よけカバー内部の溝で集結し、放水路に沿って排出され、LEDランプの性能を守る。トランジションボードの両端にある通気口は効果的にLEDランプ内部に対し放熱を行い、LEDライトの使用寿命を延長させる。
【図面の簡単な説明】
【０００７】
【図１】本実用新案の街路照明用LEDランプの構造図である。
【考案を実施するための形態】
【０００８】
図１に示したある種の街路照明用LEDランプに従って、フレーム７、フレーム７最上部に設置されたトランジションボード２を含み、トランジションボード２の上に雨よけカバー11が設置され、雨よけカバー11の内部に溝10があり、雨よけカバー11の後ろ側に放水路８と繋ぎ、トランジションボード２の下に電源６が設置され、電源６の後部はフレーム７の下面側と連結され、電源６の正面にランプシェード４が設置され、ランプシェード４の上部はトランジションボード２の底と連結され、電源６の正面にLEDライト３が設置され、更にLEDライト３がランプシェード４の内部に設置され、トランジションボード２の両端に通気口９が設置される。
【０００９】
最適な技術案として、ランプシェード４の下部に排水穴５があり、内部の水溜りを防止して、排水を行い、ランプシェード４内部の冷却効果を向上させる。
【００１０】
本実用新案の有益な効果は：本実用新案はトランジションボードの上にある雨よけカバーで防水でき、更に、雨水は雨よけカバー内部の溝で集結し、放水路に沿って排出され、LEDランプの性能を守る。トランジションボードの両端にある通気口は効果的にLEDランプ内部に対し放熱を行い、LEDライトの使用寿命を延長させる。
【００１１】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１２】
２  トランジションボード
３  LEDライト
４  ランプシェード
６  電源
７  フレーム
８  放水路
９  通気口
10  溝
11  雨よけカバー
【図１】
0003191422.tif 000003
(57)【要約】      （修正有）【課題】構造が簡単で、取り付けし易く、回転とフリッカー機能付きのＬＥＤランプを提供する。【解決手段】回転式ＬＥＤランプであり、ランプベース１とランプシェード２を含み、ランプシェード２はランプベース１に取り付けられ、ランプベース１に回転装置が設置され、回転装置は上部シェル３、下部シェル４と駆動装置５で組成され、駆動装置５は下部シェル４の内部に設置され、駆動装置５の外縁に回路部品があり、上部シェル３に一つ以上のジャック７が設置され、それぞれのジャック７にＬＥＤライト８が取り付けられる。【選択図】図１
0003191424.tif 000002
【実用新案登録請求の範囲】
【請求項１】
回転式LEDランプであり、その特徴は：ランプベースとランプシェードを含み、前述したランプシェードはランプベースに取り付けられ、前述したランプベースに回転装置が設置され、前述した回転装置は上部シェル、下部シェルと駆動装置で組成され、前述した駆動装置は下部シェルの内部に設置され、前述した駆動装置の外縁に回路部品があり、前述した上部シェルに一つ以上のジャックが設置され、前述したそれぞれのジャックにLEDライトが取り付けられること特徴とする回転式LEDランプ。
【請求項２】
請求項１に記載の回転式LEDランプにおいて、その特徴は：前述したランプシェードに穴が設置されていること特徴とする回転式LEDランプ。
【請求項３】
請求項１に記載の回転式LEDランプにおいて、その特徴は：前述した駆動装置はスイッチと繋ぎ、前述したスイッチはランプベースの下部に設置されること特徴とする回転式LEDランプ。
【考案の詳細な説明】
【技術分野】
【０００１】
本実用新案は回転式LEDランプに関わる。
【背景技術】
【０００２】
現在、人々の生活の質の向上と共に、多くの人はナイトクラブで娯楽することを好きになった。よって、ナイトクラブのデコレーティングも流行りの傾向に従って改善している。ナイトクラブはよくバーにて電気スタンドを置き、照明をする。しかし、現在の電気スタンドは単一の構造で、外観が良くない。従って、より良い雰囲気を造るためある種の回転式LEDランプをデザインした。
【考案の概要】
【考案が解決しようとする課題】
【０００３】
本実用新案の解決したい技術課題とはある種の構造が簡単で、取り付けし易く、回転とフリッカー機能付きのLEDランプを提供することである。
【課題を解決するための手段】
【０００４】
上述した課題を解決する為、本実用新案は以下の技術案を採用する：回転式LEDランプであり、ランプベースとランプシェードを含み、前述したランプシェードはランプベースに取り付けられ、前述したランプベースに回転装置が設置され、前述した回転装置は上部シェル、下部シェルと駆動装置で組成され、前述した駆動装置は下部シェルの内部に設置され、前述した駆動装置の外縁に回路部品があり、前述した上部シェルに一つ以上のジャックが設置され、前述したそれぞれのジャックにLEDライトが取り付けられる。
【０００５】
最適な技術案として、前述したランプシェードに穴が設置されている
【０００６】
最適な技術案として、前述した駆動装置はスイッチと繋ぎ、前述したスイッチはランプベースの下部に設置される。
【考案の効果】
【０００７】
本実用新案の回転式LEDランプの有益な効果は：回転装置の内部に取り付けられた駆動装置を通して、回転装置の上に設置されたLEDランプを回転させ、LEDライトは任意に交換でき、ナイトクラブの良い雰囲気を作り出せる。前述したランプシェードに穴が設置されているため、冷却機能を持つ。本実用新案の構造は簡単で、設計も合理的で、ナイトクラブでの使用に適応する。
【図面の簡単な説明】
【０００８】
【図１】本実用新案の回転式LEDランプの構造図である。
【図２】本実用新案の回転式LEDランプの上部シェルの構造図である。
【図３】本実用新案の回転式LEDランプの下部シェルの構造図である。
【考案を実施するための形態】
【０００９】
図１、図2と図3に示した通り、本実用新案は以下の技術案に従って実現したものである：回転式LEDランプであり、ランプベース１とランプシェード２を含み、前述したランプシェード２はランプベース１に取り付けられ、前述したランプベース１に回転装置が設置され、前述した回転装置は上部シェル３、下部シェル４と駆動装置５で組成され、前述した駆動装置５は下部シェル４の内部に設置され、前述した駆動装置５の外縁に回路部品６があり、前述した上部シェル３に一つ以上のジャック７が設置され、前述したそれぞれのジャック７にLEDライト８が取り付けられる。
【００１０】
最適な技術案として、前述したランプシェード２に穴（図に示されなかった）が設置されている
【００１１】
最適な技術案として、前述した駆動装置５はスイッチ９と繋ぎ、前述したスイッチ９はランプベース１の下部に設置される。
【００１２】
本実用新案の回転式LEDランプの有益な効果は：回転装置の内部に取り付けられた駆動装置を通して、回転装置の上に設置されたLEDランプを回転させ、LEDライトは任意に交換でき、ナイトクラブの良い雰囲気を作り出せる。前述したランプシェードに穴が設置されているため、冷却機能を持つ。本実用新案の構造は簡単で、設計も合理的で、ナイトクラブでの使用に適応する。
【００１３】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１４】
１  ランプベース
２  ランプシェード
３  上部シェル
４  下部シェル
５  駆動装置
６  回路部品
７  ジャック
８  LEDライト
【図１】
0003191424.tif 000003
【図２】
0003191424.tif 000004
【図３】
0003191424.tif 000005
(57)【要約】      （修正有）【課題】構造が簡単で、設計が合理的で、取り外す過程にて自動的にパワーオフをできる、より安全性を持つ、ある種の電源保護機能付きＬＥＤランプを提供する。【解決手段】電源保護機能付きＬＥＤランプはシェル４、シェル４の下部に設置された外部コネクタ３とシェル４内部に設置された連結部品２を含み、連結部品２の内端はシェル４表面を貫通し、シェル４内の底に導電性ブロック８が設置され、更に導電性ブロック８の下部はシェル４を貫通して、外部コネクタ３と繋ぎ、導電性ブロック８の上部に内部コネクタ７が設置され、内部コネクタ７が外側にあるリターンスプリング９を通して、導電性ブロック８と繋ぎ、ＬＥＤライト１は内部コネクタ７の最上部に設置され、ＬＥＤライト１の下部に位置決めブロック１１が設置される。【選択図】図２
0003191421.tif 000002
【実用新案登録請求の範囲】
【請求項１】
電源保護機能付きLEDランプであり、その特徴は：シェル、シェルの下部に設置された外部コネクタとシェル内部に設置された連結部品を含み、連結部品の内端はシェル表面を貫通し、シェル内の底に導電性ブロックが設置され、更に導電性ブロックの下部はシェルを貫通して、外部コネクタと繋ぎ、導電性ブロックの上部に内部コネクタが設置され、内部コネクタが外側にあるリターンスプリングを通して、導電性ブロックと繋ぎ、LEDライトは内部コネクタの最上部に設置され、LEDライトの下部に位置決めブロックが設置されることを特徴とする電源保護機能付きLEDランプ。
【請求項２】
請求項１に記載の電源保護機能付きLEDランプにおいて、その特徴は：前述した連結部品の内側側面にねじ山があり、LEDライトの下部にある位置決めブロックの表面に、上記ネジ山と対応する雄ネジ山があることを特徴とする電源保護機能付きLEDランプ。
【請求項３】
請求項１に記載の電源保護機能付きLEDランプにおいて、その特徴は：前述したシェルの上部の表側に一つ以上の放熱溝があることを特徴とする電源保護機能付きLEDランプ。
【請求項４】
請求項１に記載の電源保護機能付きLEDランプにおいて、その特徴は：前述したシェルの上部の開口部はフレアであることを特徴とする電源保護機能付きLEDランプ。
【考案の詳細な説明】
【技術分野】
【０００１】
本実用新案はある種の電源保護機能付きLEDランプに関わる。
【背景技術】
【０００２】
既存するLEDランプはシェルとLEDライトが直接に連結する方式を採用して、LEDライトを交換する時パワーオフできなく、作業過程にて、一定なリスクがあり、従業員の安全を保証できない。
【考案の概要】
【考案が解決しようとする課題】
【０００３】
本実用新案の解決したい技術課題とはある種の構造が簡単で、設計が合理的で、取り外す過程にて自動的にパワーオフをできる、より安全性を持つ、ある種の電源保護機能付きLEDランプを提供することである。
【課題を解決するための手段】
【０００４】
上述した課題を解決する為、本実用新案は以下の技術案を採用する：ある種の電源保護機能付きLEDランプであり、それはシェル、シェルの下部に設置された外部コネクタとシェル内部に設置された連結部品を含み、連結部品の内端はシェル表面を貫通し、シェル内の底に導電性ブロックが設置され、更に導電性ブロックの下部はシェルを貫通して、外部コネクタと繋ぎ、導電性ブロックの上部に内部コネクタが設置され、内部コネクタが外側にあるリターンスプリングを通して、導電性ブロックと繋ぎ、LEDライトは内部コネクタの最上部に設置され、LEDライトの下部に位置決めブロックが設置される。
【０００５】
最適な技術案として、前述した連結部品の内側側面にねじ山があり、LEDライトの下部にある位置決めブロックの表面に、上記ネジ山と対応する雄ネジ山がある。
【０００６】
最適な技術案として、前述したシェルの上部の表側に一つ以上の放熱溝がある。
【０００７】
最適な技術案として、前述したシェルの上部の開口部はフレアである。
【考案の効果】
【０００８】
本実用新案の有益な効果は：本実用新案の構造が簡単で、設計が合理的で、コネクタと導電性ブロックの連携によって、LEDライトを取り外す過程にて、自動的にパワーオフができる。取り外す作業に便利だけではなく、更に効果的に作業者の安全を守る。
【図面の簡単な説明】
【０００９】
【図１】本実用新案の電源保護機能付きLEDランプの構造図である。
【図２】本実用新案の電源保護機能付きLEDランプの内部構造図である。
【考案を実施するための形態】
【００１０】
図１と図２に従って、本実用新案の電源保護機能付きLEDランプはシェル４、シェル４の下部に設置された外部コネクタ３とシェル４内部に設置された連結部品２を含み、連結部品２の内端はシェル４表面を貫通し、シェル４内の底に導電性ブロック８が設置され、更に導電性ブロック８の下部はシェル４を貫通して、外部コネクタ３と繋ぎ、導電性ブロック８の上部に内部コネクタ７が設置され、内部コネクタ７が外側にあるリターンスプリング９を通して、導電性ブロック８と繋ぎ、LEDライト１は内部コネクタ７の最上部に設置され、LEDライト１の下部に位置決めブロック11が設置される。
【００１１】
最適な技術案として、前述した連結部品２の内側側面にねじ山６があり、LEDライト１の下部にある位置決めブロック11の表面に、上記ネジ山６と対応する雄ネジ10がある。
【００１２】
最適な技術案として、前述したシェル４の上部の表側に一つ以上の放熱溝５がある。
【００１３】
最適な技術案として、前述したシェル４の上部の開口部はフレアである。
【００１４】
本実用新案はLEDライト１をシェル４内部の後ろ側に設置され、LEDライト１下の位置決めブロック11通して、連結部品２の内側の側面にあるねじ山と繋ぐ。位置決めブロック11の下部は内部コネクタ７と連結し、リターンスプリング９を通して内部コネクタ７を下まで押し込み、内部コネクタ７と導電性ブロック８を連結させる。外部コネクタ３によって送電され稼動する。
【００１５】
本実用新案の有益な効果は：本実用新案の構造が簡単で、設計が合理的で、コネクタと導電性ブロックの連携によって、LEDライトを取り外す過程にて、自動的にパワーオフができる。取り外す作業に便利だけではなく、更に効果的に作業者の安全を守る。
【００１６】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１７】
１  LEDライト
２  連結部品
３  外部コネクタ
４  シェル
６  ネジ山
８  導電性ブロック
10  雄ネジ
11  位置決めブロック
【図１】
0003191421.tif 000003
【図２】
0003191421.tif 000004
(57)【要約】      （修正有）【課題】構造が簡単で、芸術的な美的感覚を持つＬＥＤランプを提供する。【解決手段】ＬＥＤランプは、透かし彫り構造のランプシェードのスケルトン１、及びランプシェードのスケルトン１に等距離で、リング状に配置されたスロット２を含み、ランプシェードのスケルトン１は小円盤３、大円盤４と楕円盤５で組み合わせた一体式構造であり、スロット２の外部に円弧状半透明パネル６が設置され、円弧状半透明パネル６の内側にスロット２と連携するプラスチックスナップ７が設置される。円弧状半透明パネル６はガラス、プラスチックまたは水晶材料で造られる。円弧状半透明パネル６の色は異なるか、または同じである。【選択図】図１
0003191423.tif 000002
【実用新案登録請求の範囲】
【請求項１】
LEDランプであり、その特徴は：透かし彫り構造のランプシェードのスケルトン、及びランプシェードのスケルトンに等距離で、リング状に配置されたスロットを含み、前述したランプシェードのスケルトンは小円盤、大円盤と楕円盤で組み合わせた一体式構造であり、前述したスロットの外部に円弧状半透明パネルが設置され、前述した円弧状半透明パネルの内側にスロットと連携するプラスチックスナップが設置されることを特徴とするLEDランプ。
【請求項２】
請求項１に記載のLEDランプにおいて、その特徴は：前述した円弧状半透明パネルはガラス、プラスチックまたは水晶材料で造られることを特徴とするLEDランプ。
【請求項３】
請求項２に記載のLEDランプにおいて、その特徴は：前述した円弧状半透明パネルの色は異なるか、または同じであることを特徴とするLEDランプ。
【考案の詳細な説明】
【技術分野】
【０００１】
本実用新案はLEDランプに関わる。
【背景技術】
【０００２】
全てのぶら下がる照明装置はシャンデリアに分類される。現在、市場に出回っているシャンデリアは、通常シェル、光源、ランプベースで組成する。実用性以外に、装飾的な効果も強い。今、人々はシャンデリアを選び時、外形より装飾効果をより重視している。しかし、シャンデリアの構造はその外形を制限し、シャンデリアを単なる照明機能を果たすようにさせた。光のソフトさが足りなく、美術的な鑑賞性も不足である。従って、もっと美しく、装飾効果の強いシャンデリアを造るのは必要なことであり、市場のニーズに相応しである。
【考案の概要】
【考案が解決しようとする課題】
【０００３】
本実用新案の解決したい技術課題とはある種の構造が簡単で、芸術的な美的感覚を持つLEDランプを提供することである。
【課題を解決するための手段】
【０００４】
上述した課題を解決する為、本実用新案は以下の技術案を採用する：
【０００５】
LEDランプであり、透かし彫り構造のランプシェードのスケルトン、及びランプシェードのスケルトンに等距離で、リング状に配置されたスロットを含み、前述したランプシェードのスケルトンは小円盤、大円盤と楕円盤で組み合わせた一体式構造であり、前述したスロットの外部に円弧状半透明パネルが設置され、前述した円弧状半透明パネルの内側にスロットと連携するプラスチックスナップが設置される。
【０００６】
最適な技術案として、前述した円弧状半透明パネルはガラス、プラスチックまたは水晶材料で造られる。
【０００７】
最適な技術案として、前述した円弧状半透明パネルの色は異なるか、または同じである。
【考案の効果】
【０００８】
本実用新案の有益な効果は：
本実用新案のLEDライトに出した光は円弧状半透明パネルを通して、屈折され、光が柔らかく、照明領域が増加される。装置を駆動する回路はランプシェードのスケルトンの外部に設置され、ランプシェードの構造をシンプルにさせる。更に、複数の円弧状半透明パネルはスナップによって、ランプシェードのスケルトンに取り付けられた後、その外観が美しく、芸術的な美的感覚を持つ。
【図面の簡単な説明】
【０００９】
【図１】本実用新案の構造図である。
【考案を実施するための形態】
【００１０】
図１に示したLEDランプに従って、透かし彫り構造のランプシェードのスケルトン１、及びランプシェードのスケルトン１に等距離で、リング状に配置されたスロット２を含み、前述したランプシェードのスケルトン１は小円盤３、大円盤４と楕円盤５で組み合わせた一体式構造であり、前述したスロット２の外部に円弧状半透明パネル６が設置され、前述した円弧状半透明パネル６の内側にスロット２と連携するプラスチックスナップ７が設置される。
【００１１】
そのうち、前述した円弧状半透明パネル６はガラス、プラスチックまたは水晶材料で造られる。前述した円弧状半透明パネル６の色は異なるか、または同じである。
【００１２】
本実用新案の有益な効果は：
本実用新案のLEDライトに出した光は円弧状半透明パネルを通して、屈折され、光が柔らかく、照明領域が増加される。装置を駆動する回路はランプシェードのスケルトンの外部に設置され、ランプシェードの構造をシンプルにさせる。更に、複数の円弧状半透明パネルはスナップによって、ランプシェードのスケルトンに取り付けられた後、その外観が美しく、芸術的な美的感覚を持つ。
【００１３】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１４】
１  スケルトン
２  スロット
３  小円盤
４  大円盤
５  楕円盤
６  円弧状半透明パネル
７  プラスチックスナップ
【図１】
0003191423.tif 000003
(57)【要約】      （修正有）【課題】折り畳めば小型、薄型のポケットサイズとなる女性用携帯薄型小便器であって、緊急措置を要するような場合に使用され、これを常備所持していても尿瓶のような違和感はなく、使用後はその場で床置も可能である女性用携帯薄型小便器を提供する。【解決手段】この携帯用小便器の尿受口ａは、先端部が女性陰部にフィットするライン形状に加工されており、他方には尿を溜める袋ｂを備えている。尿受口は不使用時には偏平状態を維持し、使用時に偏平状の尿受口両サイドを手で圧し筒状としこの尿受口を陰部に当て用を足す事によって尿は他方の袋中に溜まる事となる構造を備えている。未使用時は袋は折り畳まれ、尿受口部と一緒に外ケースに収納されているので小型、薄型を保っている。又、この携帯用の小便器を収納する外ケースは、尿を足した後に偏平となる尿受口を外ケースに差込む事によって、袋中の尿の流出を妨げる圧着フタとして利用出来る。【選択図】図２
0003191500.tif 000002
【実用新案登録請求の範囲】
【請求項１】
折り畳み式の女性用携帯小便器であって、不使用時には、偏平状になり、使用時には、両サイドの先端部を押さえることで開口するバネ性のある尿受口と、その尿受口と接続された、小便を溜める袋とを備え、前記尿受口は、使用時には、女性の陰部を覆う形状に形成され、前記袋は、不使用時には、折り畳まれた状態で、偏平になった前記尿受口に重ねた状態で収納可能となる女性用携帯薄型小便器。
【請求項２】
前記尿受口の周縁には、柔軟性のあるゴム材又は樹脂材が取り付けられている請求項１に記載の女性用携帯薄型小便器。
【請求項３】
前記小便器は、それを収納する外ケースを更に備えてなる請求項１に記載の女性用携帯薄型小便器。
【考案の詳細な説明】
【技術分野】
【０００１】  本考案は、尿瓶を代表とする小便器に係わるものである。
【背景技術】
【０００２】一般的な携帯用小便器は、尿を足す口部は成型樹脂で形作られており、口部サイズは常時大きく成型開口しており、小型ではあるが薄型ではない。
そのため、更に携帯や収容に便利である小さくて薄い携帯用小便器が望まれていた。
【先行技術文献】
【０００３】
【特許文献】
【特許文献】  公開実用新案  平７−３６８９５号公報
【考案の概要】
【考案が解決しようとする課題】
【０００４】特許文献で示された「携帯用小便器及び装着排出管」は、小便器の口部については、漏斗状をした尿受器の開口を長円としてと記述し、口部の固定形状を規定している。
これは常時開口部が開いた形状を指しているのであり、このためこれを不使用状態で保持する場合、小型とは言え結構嵩張る大きさとなる欠点がある。
このため、不使用時は常備保持しても違和感が無くかさ張らず軽量、薄型で小型化し、体裁のよいスタイルに改良する課題があった。【０００５】使用後の尿受口は大きく開いたままであり、このままでは尿袋に溜まった尿が漏れ出す恐れがあり、これを改良する課題があった。
【課題を解決するための手段】
【０００６】  本考案では小便器の尿受口は、不使用状態では薄く偏平となり、尿受口は閉じている状態である、この閉じた偏平の左右を手で圧すると尿受口が開く構造をもっていて、開口した状態で陰部に当て使用するものである、これによって、前述の課題を解決するものである。【０００７】  本考案では尿が溜まる袋を備えており、この袋は筒状の尿受口反対側に接合しており、この袋は不使用状態では折り畳まれ、尿受口と一体となって外ケースに収納される、これによってポケットに入る程度の薄い小型化が図られて常備保管可能な形状となり、前述の課題を解決するものである。【０００８】  本考案では、使用済みの小便器の尿受口は偏平となるので、クサビ状であって尿受口がキッチリと収まる形状の外ケースの挿入口に深く差し込む事によって、外ケースは尿受口の圧着蓋となり、尿受口からの尿の流出は簡単に防止出来るので、前述の課題を解決するものである。
【考案の効果】
【０００９】  本考案の携帯用の小便器を使う事によって、不使用時の状態が小型、薄型であるので保管には場所をとらず、尿受口を筒状に開口して陰部に当て使用すれば楽に尿を足すことが出来る効果がある。【０００１０】本考案の携帯用小便器を使うことによって、使用後は外ケースを尿受口の閉めフタとして利用するので、このクサビ状の先端部の締付け効果によって尿出口は密閉され流出する事はなく、そのまま床置きも可能である。【００１１】本考案の携帯用の小便器は、ポケットに収納できる小さなサイズであるので、常時車中に保管されていても尿瓶を置くような違和感は全く生ぜず、万一の渋滞に巻き込まれても車中で尿を足す事が出来る。【００１２】本考案の携帯用の小便器は、以上の特徴を有するので、一般の病人、老人介護等の用品としての活用も見込まれるものである。
以上により前述の欠点を解決し、効果を生ずるものである。
【図面の簡単な説明】
【００１３】
【図１】  未使用状態の女性用携帯薄型小便器の正面図
【図２】  使用の為尿受口を開けた女性用携帯薄型小便器の斜視図
【図３】  袋を折り畳む途中の斜視図
【図４】  外ケースに小便器を差し込む直前の斜視図
【考案を実施するための形態】
考案の実施の形態について図面を参照して説明する。
【００１４】  図１のように、尿受口ａ．には、女性の陰部にフィットするライン形状で形成され、陰部を覆い尿を足す受口となる。
他方には尿を溜める袋ｂ．が備えられており、女性用携帯薄型小便器を構成している。
【００１５】  図２のように、使用者は尿受口ａ．を、閉じた偏平の左右を手で圧する事によって尿受口を筒状に開け、開けた状態で局所に当て使用する。足した尿は袋ｂ．に溜まる事となる。
【００１６】  図３のように、尿を溜める袋ｂ．は折りたむ事が出来る。
【００１７】  図４のように、尿受口ａ．は外ケースｃ．に差込み収納する事が出来る。
【産業上の利用可能性】  生理、衛生、介護用品に関する産業の領域で商品化が期待される。
【符号の説明】ａ．尿受口
ｂ．尿を溜める袋
ｃ．外ケース
【図１】
0003191500.tif 000003
【図２】
0003191500.tif 000004
【図３】
0003191500.tif 000005
【図４】
0003191500.tif 000006
(57)【要約】【課題】  本考案は、スケートボード制作時に廃棄されていたスケートボードの外枠部分を使用する事により資源の無駄を省き、今まで収納場所が無く放置され不慮の事故に繋がる恐れのあるスケートボードを、コンパクトに収納出来るスケートボード用フレームハンガーである。【解決手段】  本考案は、一枚の板をスケートボード３の形にくり抜き、スケートボード３にタイヤ５を取り付け通常のスケートボードとして使用し、外枠部分１にワイヤー６を取り付け、乗り終わったスケートボードを型に収納し、外枠部分１に取り付けたワイヤー６でタイヤ５部分を固定することにより、コンパクトに収納出来、資源の無駄を省くと共に不慮の事故も無くす事が出来る。【選択図】図１
0003191499.tif 000002
【実用新案登録請求の範囲】
【請求項１】
一枚の板をスケートボードの形にくり抜きスケートボードを作成し、今まで使用せずに廃棄となっていた外枠部分にフックを取り付け、くり抜いた穴にスケートボードが収納出来る事を特徴とするスケートボード用フレームハンガー。
【考案の詳細な説明】
【技術分野】
【０００１】  本考案は、一枚の板をスケートボードの型にくり抜き、制作時に不要となる外枠を利用し、くり抜いた穴にスケートボードが収納出来る事を特徴とした、スケートボード用フレームハンガーに関する物である。
【背景技術】
【０００２】  従来はスケートボードの制作時に外枠部分は廃棄され資源の無駄となっていた。また、利便性の良いスケートボード収納フレームハンガーが無かった為、フックにかけたり玄関先などに立てかけるため、時として倒れたりその上に足を乗せて転んだりするなど安全面から見ても危険だった。
【考案の概要】
【考案が解決しようとする課題】
【０００３】  本考案は、今まで廃棄となっていた外枠部分を使用する事により、資源の無駄を省き、自分のスケートボードと同一の板を使用するため、ぴったりと合ったオリジナルのスケートボード用フレームハンガーを提供する事ができ、安全でコンパクトに収納する事を目的としている。
【課題を解決するための手段】
【０００４】  本考案は、一枚の板からスケートボードを制作し、今まで廃棄となっていたスケートボードをくり抜いた後の木材の外枠部分にワイヤーを取り付け、スケートボード収納時にはスケートボードを元のくり抜いた穴にはめ、ワイヤーで前後のタイヤを固定し安定させる事でスケートボード用フレームハンガーを構成するものである。
【考案の効果】
【０００５】  上述の様に、本考案のスケートボード用フレームハンガーは、今まで無造作に置かれていたスケートボードを安全かつコンパクトに収納し、廃棄していた外枠部分を利用することで資源の無駄を省く事ができ、スケートボード制作時にくり抜いた部分にはめ込むのでぴったりとコンパクトに収納する事に優れたものである。
【図面の簡単な説明】
【０００６】
【図１】本考案のスケートボード用フレームハンガーの実施例を示す正面図である。
【図２】スケートボード本体である。
【図３】スケートボードを切り取った後の外枠部分である。
【考案を実施するための形態】
【０００７】  スケートボード用の一枚の板をスケートボードの形に糸鋸で切り抜きスケートボードを作成する。くり抜いた後の外枠部分にフックとワイヤーを４カ所取り付ける。スケートボードをくり抜いた穴にはめこみ、フックに取り付けたワイヤーでタイヤ部分を固定する事で落下防止になり安全にスケートボードを収納できる。
【実施例】
【０００８】  以下、添付図面に従って一実施例を説明する。一枚の板を２の線でくり抜き３のスケートボードの形になる。１はカットしたスケートボードを取り出した後の外枠部分。３はスケートボード本体である。４のトラックをナットで本体３のスケートボードにとめ５のタイヤをセットする。最後に６のワイヤーを、外枠につけた７のフック４カ所でとめて固定する。
【符号の説明】
【０００９】  １  スケートボードを取り出した後の外枠部分
２  スケートボードをくり抜く形の線
３  スケートボード本体
４  トラックといい、板にタイヤを取り付ける金具
５  タイヤ
６  ワイヤー
７  フック
【図１】
0003191499.tif 000003
【図２】
0003191499.tif 000004
【図３】
0003191499.tif 000005
(57)【要約】      （修正有）【課題】常に清潔さを保ち良好な着用感であり、軽い尿漏れ・局部の汗による蒸れを防止し、しかも従来の介護用パンツと比べて外観を損なわない自然で見栄えの良い男性局部当て布対応パンツを提供する。【解決手段】パンツ内側の男性局部側に当て布を設け、且つ同当て布の両端部分に沿って段差を設けることにより、尿・汗の横漏れや後身側への流れを阻止出来、また外観を損なわない自然で見栄えの良いデザインの男性局部当て布対応パンツが得られる。【選択図】図１
0003191487.tif 000002
【実用新案登録請求の範囲】
【請求項１】
前身頃の裏側の中央部に形成されている、男性局部を保持する部位をもったパンツにおいて、
男性局部を保持する部位（以下男性局部当て布１４と呼ぶ）は、少なくとも第１生地１、第２生地２、第３生地３を有する３層以上の構造を有し、
第１生地１は通気性のある生地、
第２生地２は吸水性のある生地、
第３生地３はパンツ本体１３と同じ生地
を使用する事を特徴とするエチケットパンツ。
【請求項２】
男性局部当て布１４の形成に使用する
第１生地１、第２生地２、第３生地３夫々に消臭機能と抗菌防臭機能を付加した生地を使用する事を特徴とする請求項１記載のエチケットパンツ。
【請求項３】
パンツ本体１３と男性局部当て布１４の形成において、
男性局部当て布１４の両端部に沿って縫製し、
パンツ本体１３と男性局部当て布１４の間に段差を設ける事を特徴とする請求項１又は、請求項２記載のエチケットパンツ。
【考案の詳細な説明】
【技術分野】
【０００１】  本考案は男性局部の快適さを保つパンツに関するものである。
【背景技術】
【０００２】  従来のパンツは前開き部分が分厚く、見た目も不恰好なのもが多かった。
【先行技術文献】
【特許文献】
【０００３】
【特許文献１】実登第３１３９３０６号
【考案の概要】
【考案が解決しようとする課題】
【０００４】  従来のパンツは、前開き部分が分厚く、目立つパットを使用していて、男性局部が蒸れ易く、見た目も不恰好なものが多いという課題があった。
本考案は、上述した課題を解決し、男性局部の蒸れを改善し、見た目の良いパンツを提供しようとするものである。
【課題を解決するための手段】
【０００５】  本考案者らは、このような課題を解決する為に、鋭意検討の結果、本考案に達した。その心配を解消する為、軽い尿漏れ・局部の汗による蒸れを防止する形状（段差）を設け、吸水性・消臭機能・抗菌防臭機能に優れた生地１．２．３を使用することで男性局部を常に快適に保つ機能を持たせている。
【考案の効果】
【０００６】  パンツ本体１３と男性局部当て布１４の間に設けられた段差により尿、汗の流れが確実に吸収、遮断されるので、尿・汗の横漏れや後身側への流れを阻止する。更に男性局部当て布１４が３層以上の構造を有する事により着用時の履き心地やシルエットを従来のパンツより改善し、吸水速乾機能、消臭・抗菌防臭機能を有する生地を使用する事により、常に清潔さを保ち、着用感の良好なパンツである。
【図面の簡単な説明】
【０００７】
【図１】本考案のボクサー型パンツの縫製後の外観図である。（ａ）ボクサー型パンツの縫製後の表側を示す外観正面図である。（ｂ）ボクサー型パンツの縫製後の裏側を示す外観正面図である。（ｃ）ボクサー型パンツの縫製後の裏側を示す外観左側面図である。
【図２】本考案のボクサー型パンツの男性局部を保持する３層部位の構造図である。
【図３】本考案のボクサー型パンツの内部構造と位置関係を示す断面図である。
【考案を実施するための形態】
【０００８】  前身頃の裏側の中央部に形成されている、
男性局部当て布１４をもったパンツにおいて、男性局部当て布１４は少なくとも第１生地１、第２生地２、第３生地３を有する
３層以上の構造を有し、第１生地１は通気性ある生地、第２生地２は吸水性のある生地、第３生地３はパンツ本体と同じ生地の３層以上の構造からなる。
第１生地１の通気性のある生地には、例えばメッシュ生地などの穴あき構造を有する生地を使用すると通気性が向上する。
第２生地２の吸水性のある生地には、例えばポリエステルなどの異形断面繊維の編物を使用すると吸水性が向上し、蒸れ防止効果が得られる。
第３生地３はパンツ本体１３と同じ生地を使用する事によりパンツ本体１３と男性局部当て布１４の縫い合わせの際に接地面がよりフラットな状態となる為、縫製後の形態が安定する。
つまりパンツは従来のボクサー型パンツと比べて男性局部をより快適に保つ機能を持ち、尚且つ従来の介護用パンツと比べて外観を損なわないデザインを採用しているため、良好な着用感を有している。
【０００９】  男性局部当て布１４の形成に使用する生地としては、
通気性の有る第１生地１や、例えばポリエステル等からなる吸水性の良好な第２生地２を用いると、男性局部の蒸れが防止される。
また、男性局部当て布１４の第１生地１、第２生地２、第３生地３に消臭・抗菌防臭加工を施して男性局部当て布１４を消臭・抗菌防臭機能を有する生地から形成すると常に清潔さを保ち、着用感の良好なパンツとして好適である。
【００１０】  パンツ本体１３と男性局部当て布１４の形成において、
男性局部当て布１４の両端部１２に沿って縫製し、パンツ本体１３と男性局部当て布１４の間に段差を設ける事で、男性局部がこの男性局部当て布１４に全体に包み込まれることで、尿、汗の流れが確実に吸収、遮断されるので、尿・汗の横漏れや後身側への流れを阻止する機能を有する。
【００１１】  男性局部当て布１４の３層以上の構造を有するエチケットパンツにおいて、パンツ本体１３のボクサー型以外にも、トランクス型及びブリーフにも適応可能である。
【産業上の利用可能性】
【００１２】  本考案は男性局部の快適さを保つパンツに関するものであるが、男性局部当て布１４の３層以上を有する構造は、男性用に限らず、吸水速乾機能、消臭機能、抗菌防臭機能を必要とする各種下着に適用可能である。
【符号の説明】
【００１３】１      第１生地
２      第２生地
３      第３生地
７      前開き（表側）
８      前開き（裏側）
９      前身頃
１２    男性局部当て布の両端部
１３    パンツ本体
１４    男性局部当て布
（ａ）  表側（正面）
（ｂ）  裏側（正面）
（ｃ）  裏側（右左側面）
【図１】
0003191487.tif 000003
【図２】
0003191487.tif 000004
【図３】
0003191487.tif 000005
(57)【要約】      （修正有）【課題】ペイント缶の開口部に取り付けて使用され、缶の縁をきれいなままにできる注ぎ具を提供する。【解決手段】後端１を缶の開口部の半径と同等に湾曲させ前端４を後部より狭く設けた底板部５の両側に、後方に缶の開口部の半径に合わせて湾曲させた整流部６を有する導流板７を設け、底板部５の後端１下部に缶の開口部の厚みに合わせた固定金具８を取り付けて形成した注ぎ具１を、缶縁部に着脱自在に取り付ける。【選択図】図１
0003191850.tif 000002
【実用新案登録請求の範囲】
【請求項１】
缶体に着脱可能に設けた注ぎ具に於いて、後端を所定半径に湾曲させ前端を後部より狭く設けた底板部の両側に、後方に所定半径に湾曲させた整流部を有する導流板を設け、当該底板部の後端下部には湾曲に沿わせた固定金具を取り付け、当該固定金具で缶縁部に着脱自在に設けた事を特長とするペイント缶の注ぎ具
【考案の詳細な説明】
【技術分野】
【０００１】  本考案は一般的に使用されるペイント缶の注ぎ具に関する。
【背景技術】
【０００２】  通常使用されているペイント缶は容量によって外形が基準化されており、開口部の大きさはほぼサイズが決まっている。【０００３】  従って、缶体に装着しようとする器具は缶の容量によってサイズを合わせるだけでよい。
【考案の概要】
【考案が解決しようとする課題】
【０００４】  通常ペイント缶のペイント等を使用する場合は、まず蓋を外した後に中のペイントを適量流し出して他の容器に移し換え使用するのが一般的である。【０００５】  この理由としてはペイント類は空気に触れると乾燥固化し缶の中で固まっていくためで、適量を流し出した後再度蓋を閉めて密閉保管するのが良いとされている。【０００６】  ところが缶から直接流し出すとどうしても蓋を密着させるために設けられた溝の中にペイントが流れ込んで残ってしまう。【０００７】  この時溝の中に入ったペイントをきれいに拭き取ってから蓋を閉じようとすると手間がかかり、時間をロスしてしまう。【０００８】  また、蓋を閉めるために時間を掛けると容器に移したペイントが堅くなっていくので、あまり時間をかける事は出来ないため簡単に拭き取るかそのまま蓋を閉じてしまう事が殆どである。【０００９】  しかしながら溝の中にペイントが残ったまま蓋を閉じてしまうと次に蓋を開ける時にはペイントが固化してしまいそのせいで蓋が固着して、開けるのにけっこうな時間を取られてしまう事が多い。【００１０】  時にはなかなか開かず、金具等を使用して無理矢理こじ開けたために蓋や缶の縁部を傷つけたり歪めたりする事も良くある事である。【００１１】  その他ペイントを流し出す時にペイントが缶の縁に溢れそのまま缶を伝って垂れる事もあって、缶体や床などを無駄に汚したりする事も多かった。
【課題を解決するための手段】
【００１２】  本考案では、ペイント缶の形状が容量によってほぼ統一されている事に着目し、缶のサイズに合わせた注ぎ具を取り付けて使用する事で従来の問題点を解決する事を旨とする。【００１３】  すなわち、後端を缶の開口部の半径と同等に湾曲させ、前端を後部より狭く設けた底板部の両側に、後方に缶の開口部の半径に合わせて湾曲させた整流部を有する導流板を設ける。【００１４】  上記底板部の後端下部には湾曲に沿わせ且つ缶の開口部の厚みに合わせた高さで固定金具を取り付けて注ぎ具を形成する。【００１５】  当該固定金具で缶縁部の内側から本考案にかかる注ぎ具を嵌め込み固定してペイントを注ぎ、その後に取り外して蓋を閉めると良い。
【考案の効果】
【００１６】  本考案の注ぎ具を使用すると、傾けたペイント缶中のペイントは導流板によって流れを絞られ、底板部上を流れて先端から出て行く。【００１７】  この時缶縁部に流れていこうとするペイントは、開口部に合わせて湾曲した整流部及び固定金具にブロックされ漏れ出す事はなく、従って缶の縁はきれいなままである。【００１８】  その後本考案の注ぎ具を取り外せば缶の縁をペイントで汚すことなく蓋をしてペイントを密閉する事が出来る。
【図面の簡単な説明】
【００１９】
【図１】  斜視図
【図２】  平面図
【図３】  装着状態の中央断面図
【図４】  装着状態の説明図
【考案を実施するための形態】
【００２０】  本発明は発明を実施するための最良の方法として図１に示すような構造としている。
【００２１】  後端１を缶２の開口部３の半径と同等に湾曲させ、前端４を後部より狭く設けた底板部５の両側に、後方に缶２の開口部３の半径に合わせて湾曲させた整流部６を有する導流板７を設ける。
【００２２】  上記底板部５の後端１下部には湾曲に沿わせ且つ缶２の開口部３の厚みに合わせた高さで固定金具８を取り付けて注ぎ具９を形成する。
【実施例】
【００２３】  後端１を使用する目的のペイント缶２の開口部３内側の半径と等しいサイズに湾曲させ、また前端４を後部より狭く設けて流動物の流れを絞るように底板部５を形成する。【００２４】  上記底板部５の両側には後方に缶２の開口部３内側の半径に合わせて湾曲させた整流部６を設けた導流板７を設ける。【００２５】  当該整流部６は装着した際に缶２の縁部１０に一体化可能に設けてある【００２６】  上記底板部５の後端１下部には湾曲に沿わせ、且つ缶２の開口部３の厚みに適合させた高さを有する固定金具８を取り付けて、注ぎ具９を形成する。
【産業上の利用の可能性】
【００２７】  本考案にかかる注ぎ具９を使用する際は、蓋を開け缶２の内側より注ぎ具９の先端４を外側に向け、固定金具８で缶縁部１０を挟むように装着するだけでよい。
【００２８】  この状態で缶２を傾けると、缶２から溢れたペイントは底板５の上を流れ、導流板７によって先端に向けて絞られ流出する。
【００２９】  必要量のペイントを流し出した後は本考案の注ぎ具９を取り外せば良い。
【００３０】  缶縁部１０は底板部及び整流部によりペイントの流れとは完全に隔離されペイントが付く事はない。
【符号の説明】
【００３１】１      後端
２      缶
３      開口部
４      前端
５      底板部
６      整流部
７      導流板
８      固定金具
９      注ぎ具
１０    缶縁部
【図１】
0003191850.tif 000003
【図２】
0003191850.tif 000004
【図３】
0003191850.tif 000005
【図４】
0003191850.tif 000006